(57)【要約】【課題】従来のディスク装置の筐体側基板とトレイ側基板を接続するフレキシブルプリントケーブルは略Ｕ字状をしている為、取り数が多くできない。また片面のフレキシブルプリントケーブルの場合、これに接続するコネクタの接点の向きが限定されていた。【解決手段】本発明の光ディスク装置は、フレキシブルケーブルは１カ所または複数箇所の折り曲げ部を有すことによって第１の腕部と第２の腕部を有し、第１の腕部と第２の腕部によって筐体部にトレイを収納した状態で略Ｕ字状または略Ｖ字状を成し、第１の腕部の端部は筐体部に接続され、前記第２の腕部は折り返されてその端部は前記トレイ部に接続されることとしたことにより、略直線状のフレキシブルケーブルが使用できるため、取り数を多くできる。また、折り曲げ部により端部の導体露出部の向きを逆にでき、これに接続するコネクタの選択肢が広がる。【選択図】図２
2005216333.tif 000002
【特許請求の範囲】
【請求項１】
筐体部と、前記筐体部に収納及び引き出しを可能となるように保持されたトレイ部と、前記トレイ部に設けられた回転駆動手段と前記トレイに設けられた光ピックアップ部と、前記筐体部と前記トレイ部間で、信号および電力の少なくとも一方を伝達可能とするフレキシブルケーブルを含んで構成された光ディスク装置であって、前記フレキシブルケーブルは１カ所または複数箇所の折り曲げ部を有すことによって第１の腕部と第２の腕部を有し、前記第１の腕部と前記第２の腕部によって前記筐体部に前記トレイを収納した状態で略Ｕ字状または略Ｖ字状を成し、前記第１の腕部の端部は前記筐体部に接続され、前記第２の腕部は折り返されてその端部は前記トレイ部に接続されることを特徴とする光ディスク装置。
【請求項２】
フレキシブルケーブルは平帯状ケーブルであることを特徴とする請求項１記載の光ディスク装置。
【請求項３】
フレキシブルケーブルはフレキシブルプリントケーブルまたはフレキシブルフラットケーブルであることを特徴とする請求項１記載の光ディスク装置。
【請求項４】
折り曲げ部を折り曲げる前の状態のフレキシブルケーブル単体は略直線状であることを特徴とする請求項１記載の光ディスク装置。
【請求項５】
折り曲げ部でフレキシブルケーブル同士が接触する部分の少なくとも一部が接着されてることを特徴とする請求項１記載の光ディスク装置。
【請求項６】
フレキシブルケーブルは筐体部に設けられた回路基板と光ピックアップモジュールに設けられた回路基板を接続するものであることを特徴とする請求項１記載の光ディスク装置。
【請求項７】
折り曲げ部により、フレキシブルケーブルが重なって厚みが増した部分を筐体側に逃がす、逃がし部を筐体に設けたことを特徴とする請求項１記載の光ディスク装置。
【発明の詳細な説明】
【技術分野】
【０００１】
本発明は光ピックアップにより光ディスクの情報を記録再生する光ディスク装置に関する。
【背景技術】
【０００２】
電子機器に搭載されるＣＤ−ＲＯＭ／Ｒ／ＲＷ、ＤＶＤ−ＲＯＭ／ＲＡＭ／Ｒ／ＲＷなどの光ディスク装置のディスク装着方法としては、筐体よりトレイが引き出され、このトレイにディスクを取り付け、再び筐体に戻して装着する方式（以下トレイ方式と称する）が一般的である。以下、従来のトレイ方式の光ディスク装置の構成について、図を参照して説明する。
【０００３】
図１０は従来のトレイ方式の光ディスク装置の外観図、図１１は従来のトレイ方式の光ディスク装置の正面図で、天部２ａを除去した図である。光ディスク装置１には筐体２及びトレイ３があり、図１０、図１１は筐体２からトレイ３を引き出した状態を示している。筐体２は天部２ａと底部２ｂから構成されている。トレイ３には光ピックアップモジュール（ＰＵＭ）４が設けられている。光ピックアップモジュール４には光学系を構成した光ピックアップ５とディスクを回転させるスピンドルモータ４ａ及び制御回路を構成するＰＵＭ側回路基板４ｃが構成されている。スピンドルモータ４ａにはディスク装着部４ｂがあり、ディスクを装着し回転駆動させる。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【０００４】
筐体２の底部２ｂには制御回路を構成する筐体側回路基板９が設けられている。筐体側回路基板９には、外部からの電力の供給と信号の入出力を行うコネクタ９ａが設けられている。筐体側回路基板９とトレイ３に設けられたＰＵＭ側回路基板４ｃとはフレキシブルプリントケーブル１０で結線されている。さらに筐体側回路基板９とフレキシブルプリントケーブル１０はコネクタ９ｂにて接続されており、ＰＵＭ側回路基板４ｃとフレキシブルプリントケーブル１０はコネクタ４ｄにて接続されている。フレキシブルプリントケーブル１０は略Ｕ字形をしており、その一方の腕が折り返されてＰＵＭ側回路基板４ｃに結線されている。折り返し部１０ａはトレイ３の出し入れとともにトレイ３の出し入れ方向に平行して移動する。これによって、フレキシブルプリントケーブル１０は、トレイ３を筐体２に収納した状態であっても、またトレイ３を最大に引き出した状態であっても、光ディスク装置１の他の部材に衝突することなく、結線状態を維持することが出来る。
【０００５】
先行例としては、（特許文献１），（特許文献２）等がある。
【特許文献１】特許第３０７９９５９号公報
【特許文献２】特開２０００−２６０１７４号公報
【発明の開示】
【発明が解決しようとする課題】
【０００６】
略Ｕ字形をしたフレキシブルプリントケーブル１０は、製造時においてその形状により、直線上のフレキシブルプリントケーブルのような単純な形状のものに比べ、原板の廃棄する部分が多くなることから金型上の取り数が多くできず、製品単価が高くならざるを得ない。
【０００７】
また、フレキシブルプリントケーブル１０の端部のコネクタ４ｄ等との接点となる導体
露出部は、銅箔が片面に設けられたフレキシブルプリントケーブルの場合、一般的に銅箔側の片面に設けられる。したがって、筐体側回路基板９及びＰＵＭ側回路基板４ｃに実装されフレキシブルプリントケーブル１０を接続するコネクタ９ｂ、４ｄの接点は、ともにこの導体露出部に接するように設けられていなければならない。しかし通常、筐体側回路基板９及びＰＵＭ側回路基板４ｃは、コネクタ９ｂ、４ｄが基板の表面に実装できるか裏面に実装できるかが部品高さや実装スペースの制限などにより決まってしまうことが多く、結果的にフレキシブルプリントケーブル１０の導体露出部がコネクタ９ｂ、４ｄに対しどちら向きになるかが決まってしまう。
【０００８】
一方、コネクタ９ｂ、４ｄについては、導体露出部と接触する接点が基板取り付け側にある下接点タイプとその逆の上接点タイプがあり、適当なタイプを選択することによって、例えば筐体側回路基板９とＰＵＭ側回路基板４ｃでコネクタを実装する面が異なっていても、フレキシブルプリントケーブル１０を両方の基板に接続することは可能である。しかしながら、下接点タイプと上接点タイプコネクタの高さは必ずしも一緒ではなく、また常に両タイプが容易に入手できるわけではない。したがって、製品設計の際、コネクタの選定や実装位置を決める上で、著しく制約を受けることがあった。
【０００９】
また、フレキシブルプリントケーブル１０が両面パターンの場合はこのような課題は生じないが、上記のような片面基板に比べ製品単価が高くなってしまう。
【課題を解決するための手段】
【００１０】
本発明は上記課題を解決するためになされたものであって、筐体部と、前記筐体部に収納及び引き出しを可能となるように保持されたトレイ部と、前記トレイ部に設けられた回転駆動手段と前記トレイに設けられた光ピックアップ部と、前記筐体部と前記トレイ部間で、信号および電力の少なくとも一方を伝達可能とするフレキシブルケーブルを含んで構成された光ディスク装置であって、前記フレキシブルケーブルは１カ所または複数箇所の折り曲げ部を有すことによって第１の腕部と第２の腕部を有し、前記第１の腕部と前記第２の腕部によって前記筐体部に前記トレイを収納した状態で略Ｕ字状または略Ｖ字状を成し、前記第１の腕部の端部は前記筐体部に接続され、前記第２の腕部は折り返されてその端部は前記トレイ部に接続されることを特徴としている。
【発明の効果】
【００１１】
本発明によると、フレキシブルケーブルを直線状の単純な形状のものが使用できるため、生産性が高く、安価なフレキシブルケーブルにすることができる。これによって光ディスク装置の製品単価を下げることができる。例えば、フレキシブルケーブルがフレキシブルプリントケーブルの場合、原板からの取り数を多くすることができる。フレキシブルケーブルがフレキシブルフラットケーブルの場合、略Ｕ字状にするよりも略直線状の方が製造は容易である。
【００１２】
また、片面のフレキシブルプリントケーブルなど端部の導体露出部が片面のみであるフレキシブルケーブルの場合、これと接続するコネクタの接点の向きが制限され、製品設計の際の制約になる場合があるが、折り曲げることによって導体露出部を反対面側にすることができるため、これと接続するコネクタ選択の自由度を増すことができる。
【発明を実施するための最良の形態】
【００１３】
本発明の請求項１記載の発明は、筐体部と、前記筐体部に収納及び引き出しを可能となるように保持されたトレイ部と、前記トレイ部に設けられた回転駆動手段と前記トレイに設けられた光ピックアップ部と、前記筐体部と前記トレイ部間で、信号および電力の少なくとも一方を伝達可能とするフレキシブルケーブルを含んで構成された光ディスク装置であって、前記フレキシブルケーブルは１カ所または複数箇所の折り曲げ部を有すことによ
って第１の腕部と第２の腕部を有し、前記第１の腕部と前記第２の腕部によって前記筐体部に前記トレイを収納した状態で略Ｕ字状または略Ｖ字状を成し、前記第１の腕部の端部は前記筐体部に接続され、前記第２の腕部は折り返されてその端部は前記トレイ部に接続されることを特徴とする光ディスク装置であって、フレキシブルケーブルを直線状の単純な形状のものが使用できるため、生産性が高く、安価なフレキシブルケーブルにすることができる。これによって光ディスク装置の製品単価を下げることができる。また、片面のフレキシブルプリントケーブルなど端部の導体露出部が片面のみであるフレキシブルケーブルの場合、これと接続するコネクタの接点の向きが制限され、製品設計の際の制約になる場合があるが、折り曲げることによって導体露出部を反対面側にすることができるため、これと接続するコネクタ選択の自由度を増すことができる。
【００１４】
本発明の請求項２記載の発明は、フレキシブルケーブルは平帯状ケーブルであることを特徴とする請求項１記載の光ディスク装置であって、フレキシブルケーブルの厚みを薄くすることができ、薄型の光ディスク装置への対応が可能となる。
【００１５】
本発明の請求項３記載の発明は、フレキシブルケーブルはフレキシブルプリントケーブルまたはフレキシブルフラットケーブルであることを特徴とする請求項１記載の光ディスク装置であって、いずれも厚みが薄く折り曲げが可能であり、薄型の光ディスク装置への対応が可能となる。
【００１６】
本発明の請求項４記載の発明は、折り曲げ部を折り曲げる前の状態のフレキシブルケーブル単体は略直線状であることを特徴とする請求項１記載の光ディスク装置であって、フレキシブルケーブル製造時の生産性を高めることができ、安価にすることができるので、これを使用する光ディスク装置の製品単価を下げることができる。
【００１７】
本発明の請求項５記載の発明は、折り曲げ部でフレキシブルケーブル同士が接触する部分の少なくとも一部が接着されてることを特徴とする請求項１記載の光ディスク装置によって、折り曲げ部がふくらむことを防止でき、薄型の光ディスク装置への対応が可能となる。
【００１８】
本発明の請求項６記載の発明は、フレキシブルケーブルは筐体部に設けられた回路基板と光ピックアップモジュールに設けられた回路基板を接続するものであることを特徴とする請求項１記載の光ディスク装置によって、筐体部の回路基板と光ピックアップモジュールの回路基板を従来品と同等に確実にかつ従来品よりも安価にできる方法で接続することができる。
【００１９】
本発明の請求項７記載の発明は、折り曲げ部により、フレキシブルケーブルが重なって厚みが増した部分を筐体側に逃がす、逃がし部を筐体に設けたことを特徴とする請求項１記載の光ディスク装置によって、フレキシブルケーブルが重なって厚みが増すことによる筐体の厚み増を回避することができ、薄型の光ディスク装置への対応が可能となる。
【００２０】
以下本発明の実施の形態について、図面を参照しながら説明する。
【００２１】
（実施の形態１）
図１は本発明の実施の形態１における光ディスク装置の外観図、図２は本発明の実施の形態１における光ディスク装置の筐体天部を除去した正面図、図３は本発明の実施の形態１における光ディスク装置のフレキシブルケーブルの折り曲げ前の外観図、図４は本発明の実施の形態１における光ディスク装置のフレキシブルケーブルの折り曲げ後の外観図、図５は本発明の実施の形態１における光ディスク装置のフレキシブルケーブルの折り曲げ後にテープを貼った状態の外観図である。
【００２２】
光ディスク装置１には筐体２及びトレイ３があり、図１、図２は筐体２からトレイ３を引き出した状態を示している。
【００２３】
図１、図２において、筐体２は天部２ａと底部２ｂから構成されている。トレイ３には光ピックアップモジュール４が設けられている。光ピックアップモジュール４には光学系を構成した光ピックアップ５とディスクを回転させるスピンドルモータ４ａ及び制御回路を構成するＰＵＭ側回路基板４ｃが構成されている。スピンドルモータ４ａにはディスク装着部４ｂがあり、ディスクを装着し回転駆動させる。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【００２４】
筐体２の底部２ｂには制御回路を構成する筐体側回路基板９が設けられている。筐体側回路基板９には、外部からの電力の供給と信号の入出力を行うコネクタ９ａが設けられている。筐体側回路基板９とトレイ３に設けられたＰＵＭ側回路基板４ｃとはフレキシブルケーブル２０で結線されている。フレキシブルケーブル２０の一端は筐体側回路基板９とコネクタ９ｂにて接続されており、他端はＰＵＭ側回路基板４ｃのコネクタ４ｄに接続されている。
【００２５】
次に、フレキシブルケーブル２０について、詳細に説明する。
【００２６】
フレキシブルケーブル２０は、折り曲げが可能なケーブルで、好ましくは平帯状のケーブルであり、さらに好ましくは被覆線を平帯状に重ねることなく並べて一体となった形状を成すケーブルが用いられる。その一例として、フレキシブルフラットケーブルであってもよい。被覆の材質は、塩化ビニル、ポリエチレンテレフタレート、ポリエステルやポリイミドが使用される。これらの被覆は、押し出し成型によって導線の周りに形成されたものであっても良いし、接することなく並べられた導線を上記被覆材のフィルムで挟み込んだものであっても良い。また、全体または部分的に銅箔やアルミ箔等の金属フィルムやフィルム状の導電性有機物を被覆の表面に貼り付けたものや、被覆の間に挟み込んだ構成であっても良い。こうすることによって、不要輻射対策が可能となる場合がある。またフレキシブルケーブル２０は１本の平帯状が望ましいが、部分的に隣接する被覆線が一体となっていない部分があってもよい。この場合この部分では複数の平帯状となるが、こうすることにより、ねじれに対する歪みを分散できる場合がある。
【００２７】
また、折り曲げが可能な絶縁性フィルムに銅などの導電性の金属を箔状にしたものを貼り付けて、導電線を形成したものであっても良い。この場合、導電性の金属を箔状にしたものの他、導電性の有機物をフィルム状にしたものであっても良い。その一例としてフレキシブルプリントケーブルであっても良い。１本の平帯状が望ましいが、部分的に導電部分を避けて長孔など貫通孔が設けられていても良い。こうすることにより、ねじれに対する歪みを分散できる場合がある。
【００２８】
フレキシブルケーブル２０は、図３に示すように、折り曲げる前はほぼ直線状を成している。これによって、フレキシブルプリントケーブルの場合、従来のＵ字状のフレキシブルプリントケーブルに比べ、同サイズの原板からの取り数を多くすることができるため、材料単価を下げることができる。また、直線状の場合に比べて取り数は減るが、所定量のカーブを成した形状であっても良い。後述するフレキシブルプリントケーブルの折り曲げによっても筐体側回路基板９やＰＵＭ側回路基板４ｃのコネクタの位置にフレキシブルプリントケーブルの端部を位置させることができない場合に、こうすることによってフレキ
シブルプリントケーブルの端部をコネクタの位置に合わせることができる場合がある。
【００２９】
図３に示すように、フレキシブルケーブル２０には、折り曲げ部２０ａが設けられており、表面２０ｄには接着部２０ｂが裏面２０ｅには接着部２０ｃが設けられている。ここで、裏面２０ｅは筐体への取り付け時に主に筐体との接着面となるフレキシブルケーブル２０の面であり、表面２０ｄはその反対面である。折り曲げ部２０ａは折り目を形成しており、容易に元の状態に戻らないように折り曲げられている。図３（ａ）において折り曲げ部２０ａを山折りに折り曲げることにより、図４に示すような折り曲げ後の形状にする。折り曲げ部２０ａは、曲げ加工を容易にする為に予め位置をマーキングしたり、罫書き線を入れていても良いし、予め金型等で曲げ癖を付けておくものであっても良い。接着部２０ｂには、両面テープを貼り付けたり、接着剤ののりしろとすることによって、折り曲げ後筐体２の底部２ｂの所定の位置にフレキシブルケーブル２０を貼り付けて固定する。フレキシブルケーブル２０の折り曲げ後の接着部２０ｂの外観は図４（ｂ）に示すようになる。
【００３０】
折り曲げ後のフレキシブルケーブル２０は、筐体側腕部２０ｆと横断部２０ｇとＰＵＭ側腕部２０ｈにて構成されており、筐体側腕部２０ｆの端部には筐体側導体露出部２０ｉが設けられており、ＰＵＭ側腕部２０ｈの端部にはＰＵＭ側導体露出部２０ｊが設けられている。筐体側腕部２０ｆと横断部２０ｇを含んで筐体側の長さ寸法Ａ１があり、ＰＵＭ側腕部２０ｈと横断部２０ｇを含んでＰＵＭ側の長さ寸法Ａ２がある。また、図４（ｂ）に示すように折り曲げ後筐体との接着側からみた際に表面の接着部２０ｂの一部が見えるように寸法Ａ２が設けられている。フレキシブルケーブル２０は、折り曲げ後においてもその弾性により、ある程度元に戻ろうとする為、折り曲げ後の接する表面同士を接着部２０ｂにて接着することによりこれを防いでいるが、この寸法Ａ２を確保することにより、この部分においても筐体に接着することができる為、よりフレキシブルケーブル２０の筐体２への接着が確実なものとなる。
【００３１】
なお、本実施の形態１では、２カ所の折り曲げ部２０ａは図３（ａ）の表面から見て共に山折りであったが、このように両方とも同じ折り方向ではなく、一方を谷折りにしてもよく、加工性等を考慮して設定して良い。その場合、折り曲げたことにより接触する面同士の所定の範囲を接着して折り曲げが元に戻るのを防ぐことが望ましい。また、筐体２との接着面についても、折り曲げ方に応じ筐体２と接触する範囲から所望の範囲を設定する。
【００３２】
また、折り曲げ部２０ａでの浮き上がりの防止を確実にする為に、図５（ａ）に示すように、折り曲げたフレキシブルケーブル２０を筐体２に貼り付けたのち、折り曲げ部２０ａの近傍の所定の範囲をテープ２０ｎを貼って覆うようにしても良い。図５（ｂ）に示すように、折り曲げ部２０ａの近傍の所定の範囲を覆って、筐体２への接着側から両面テープ２０ｐを貼り、この部分の接着性を補強するものであっても良い。なお、図５においては、筐体２は図示していない。
【００３３】
また、接着部２０ｃのＰＵＭ側端部２０ｋは、横断部２０ｇとＰＵＭ側腕部２０ｈが交差する辺部２０ｌの位置とほぼ一致させることが望ましい。
【００３４】
次に、光ディスク装置１にフレキシブルケーブル２０を取り付けた状態での構成について図２を用いて説明する。
【００３５】
折り曲げられたフレキシブルケーブル２０は裏面の接着部２０ｃや表面の接着部２０ｂの一部によって、筐体２の底部２ｂに接着されるが、接着部２０ｃは端部の筐体側導体露出部２０ｉ迄は達していない為、フレキシブルケーブル２０の筐体側導体露出部２０ｆ近
傍は筐体２から浮かせて、コネクタ９ｂに接続される。
【００３６】
一方、フレキシブルケーブル２０のＰＵＭ側導体露出部２０ｊから接着部２０ｃのＰＵＭ側端部２０ｋ迄は筐体２には接着されていない。ＰＵＭ側腕部２０ｈは筐体２に接着された横断部２０ｇから筐体側回路基板９に向かって伸びているが、折返し部２０ｍにて折り返されて、ＰＵＭ側導体露出部２０ｊがＰＵＭ側回路基板４ｃのコネクタ４ｄに接続されている。折返し部２０ｍは折り畳まれてはおらず、数ｍｍの折返し半径を有している。
【００３７】
図２はトレイ３を筐体２から最大限引き出した状態であるが、トレイ３を筐体２に収納するように移動させると、折返し部２０ｍは筐体側回路基板９側に移動する。図２中二点鎖線は折返し部２０ｍの移動範囲を示しており、トレイ３を完全に筐体２に収納した状態では図中Ｂの位置にある。筐体側回路基板９は、トレイ３を完全に筐体２に収納した状態においても折返し部２０ｍと接触することの無いように逃がし部９ｃを設けている。また、折返し部２０ｍは横断部２０ｇにかからないようにトレイ３を筐体２から最大限引き出した状態においても、折返し部２０ｍが横断部２０ｇに達することが無いように、フレキシブルケーブル２０の筐体２への取り付け位置やＰＵＭ側腕部２０ｈの長さが設定されている。接着部２０ｃのＰＵＭ側端部２０ｋについても同様に、トレイ３を筐体２から最大限引き出した状態においても、折返し部２０ｍが接着部２０ｃのＰＵＭ側端部２０ｋに達することが無いように、接着部２０ｃのＰＵＭ側端部２０ｋの位置が設定されている。望ましくは、接着部２０ｃのＰＵＭ側端部２０ｋは、横断部２０ｇとＰＵＭ側腕部２０ｈが交差する辺部２０ｌの位置とほぼ一致させる。
【００３８】
少なくともトレイ３を筐体２に収納した状態において、折返し部２０ｍはトレイ３の裏面と筐体２の底部２ｂに挟まれるように位置するが、フレキシブルケーブル２０の曲げに対する弾性によって、この状態においても折損することなく数ｍｍの折返し半径を有している。
【００３９】
フレキシブルケーブル２０に片面のフレキシブルプリントケーブルを使用した場合、両端の導体露出部は同一面側になる。したがって本実施の形態１の場合、例えば筐体側導体露出部２０ｉが筐体２と対向する場合、ＰＵＭ側導体露出部２０ｊはトレイ３に対向する。したがって、コネクタ９ｂが筐体側回路基板９の表面（底部２ｂとは対向しない側の面）に実装されている場合はコネクタ９ｂを下接点タイプを使用する。また、コネクタ９ｂが筐体側回路基板９の裏面（底部２ｂと対向する側の面）に実装されている場合はコネクタ９ｂを上接点タイプを使用する。さらにこの場合、コネクタ４ｄがＰＵＭ側回路基板４ｃの表面（トレイ３の裏面とは対向しない側の面）に実装されている場合はコネクタ４ｄは下接点タイプを使用する。また、コネクタ４ｄがＰＵＭ側回路基板４ｃの裏面（トレイ３の裏面と対向する側の面）に実装されている場合はコネクタ４ｄは上接点タイプを使用する。逆に筐体側導体露出部２０ｉがトレイ３に対向する場合、コネクタ４ｄ、９ｂの実装方法と接点タイプの選択は、上記の逆となる。
【００４０】
フレキシブルケーブル２０を折り曲げて二重になっている部分は厚みが増すので、この二重になっている部分を少なくとも含んで対向する貫通孔を、図２に破線Ｃで示すように、筐体２の底部２ｂに設けても良い。こうすることによって、二重になって厚みが増している部分をこの貫通孔に落とし込むことにより、二重になっている部分が他のフレキシブルケーブル２０の表面に対して隆起することを低減することができる。なおこの貫通孔に筐体の外側からシートやシールを貼って塞いでいても良い。こうすることによって、底部２ｂの厚み分、フレキシブルケーブル２０の二重になって厚みが増している部分をこの貫通孔に落とし込むことができ、かつこの貫通孔からゴミなどが筐体２内に入り込むことを防ぐことができる。シートやシールは絶縁性のものであっても導電性のものであっても良いが、導電性のものを使用した場合、シールドとして作用し、光ディスク装置の不要輻射
がこの貫通孔から漏れることを低減することができる。また防塵性について要求されない場合は、このシートやシールは導電性のメッシュであっても良い。また、これらのシールやシートを多層に構成したものであっても良い。また、貫通孔ではなく筐体２に凹部を設けても良い。この場合凹部は、打ち出しにて形成するものであっても、厚みを薄くすることによって形成するものであっても良い。
【００４１】
また、本実施の形態１では、２回折り曲げているが、２回以上折り曲げたものであっても良い。例えば、筐体側腕部２０ｆの筐体側回路基板９の近傍で１回の折り曲げを追加することにより、コネクタ９ｂの向きを変えることができる。さらにこのように折り曲げ回数を奇数回にすることにより、筐体側導体露出部２０ｉとＰＵＭ側導体露出部２０ｊの向きを逆にすることができる為、前述のようなコネクタを取り付ける基板の面の選択やコネクタの接点タイプの選択に制限があり、筐体側導体露出部２０ｉとＰＵＭ側導体露出部２０ｊの向きを逆にする必要がある場合に効果的である。
【００４２】
なお、本実施の形態１では、筐体側導体露出部２０ｆは筐体側回路基板９に接続されているが、筐体２に取り付けた電子部品に直接接続または結線されたものであっても良い。例えば、筐体側回路基板９の回路をＰＵＭ側回路基板４ｃに併せて搭載して筐体側回路基板９を無くし、筐体２に設けられ外部と接続するコネクタに筐体側導体露出部２０ｆを結線するものであっても良い。
【００４３】
（実施の形態２）
図６は本発明の実施の形態２における光ディスク装置の筐体天部を除去した正面図、図７は本発明の実施の形態２における光ディスク装置のフレキシブルケーブルの折り曲げ前の外観図、図８は本発明の実施の形態２における光ディスク装置のフレキシブルケーブルの折り曲げ後の外観図、図９は本発明の実施の形態２における光ディスク装置のフレキシブルケーブルの折り曲げ後にテープを貼った状態の外観図である。
【００４４】
図６は筐体２からトレイ３を引き出した状態を示している。
【００４５】
本実施の形態２はフレキシブルケーブル２１の折り曲げが１回である点が異なり、それ以外の光ディスク装置全体の構成は実施の形態１と同様である。そこでフレキシブルケーブル２１について詳細に説明する。
【００４６】
フレキシブルケーブル２１の材質、構成、折り曲げ前の形状については実施の形態１のフレキシブルケーブル２０と同様である。
【００４７】
図７に示すように、フレキシブルケーブル２１には、折り曲げ部２１ａが設けられており、表面２１ｄには接着部２１ｂが裏面２１ｅには接着部２１ｃが設けられている。ここで、裏面２１ｅは筐体への取り付け時に主に筐体との接着面となるフレキシブルケーブル２１の面であり、表面２１ｄはその反対面である。折り曲げ部２０ａは折り目を形成しており、容易に元の状態に戻らないように折り曲げられている。図７（ａ）において折り曲げ部２１ａを谷折りに折り曲げることにより、図７に示すような折り曲げ後の形状にする。折り曲げ部２１ａは、曲げ加工を容易にする為に予め位置をマーキングしたり、罫書き線を入れていても良いし、予め金型等で曲げ癖を付けておくものであっても良い。接着部２１ｂには、両面テープを貼り付けたり、接着剤ののりしろとすることによって、折り曲げ後筐体２の底部２ｂの所定の位置にフレキシブルケーブル２１を貼り付けて固定する。フレキシブルケーブル２１の折り曲げ後の接着部２０ｂの外観は図８（ｂ）に示すようになる。
【００４８】
折り曲げ後のフレキシブルケーブル２１は、筐体側腕部２１ｆとＰＵＭ側腕部２１ｈに
て構成されており、筐体側腕部２１ｆの端部には筐体側導体露出部２１ｉが設けられており、ＰＵＭ側腕部２１ｈの端部にはＰＵＭ側導体露出部２１ｊが設けられている。寸法Ｂ１は筐体側腕部２１ｆの長さ寸法であり、寸法Ｂ２はＰＵＭ側腕部２１ｈの長さ寸法である。フレキシブルケーブル２１は、折り曲げ後においてもその弾性により、ある程度元に戻ろうとする為、折り曲げ後の接する表面同士を接着部２１ｂにて接着することによりこれを防いでいる。
【００４９】
また、折り曲げ部２１ａでの浮き上がりの防止を確実にする為に、図９（ａ）に示すように、折り曲げたフレキシブルケーブル２１を筐体２に貼り付けたのち、折り曲げ部２１ａの近傍の所定の範囲をテープ２１ｎを貼って覆うようにしても良い。図９（ｂ）に示すように、折り曲げ部２０ａの近傍の所定の範囲を覆って、筐体２への接着側から両面テープ２１ｐを貼り、この部分の接着性を補強するものであっても良い。なお、図８においては、筐体２は図示していない。
【００５０】
折り曲げ時の筐体側腕部２１ｆとＰＵＭ側腕部２１ｈのなす角度θは、０°すなわち筐体側腕部２１ｆとＰＵＭ側腕部２１ｈをずれ無く重ね合わせるものであっても良いが、フレキシブルケーブル２１がほぼ全面二重になりほぼ全面にわたって厚みが増すこと、両端に接続するコネクタ４ｄ、９ｂがトレイ３を筐体２から出し入れする際に接触する可能性が増すことから、ある程度の角度を持つことが望ましい。具体的には、両端の筐体側導体露出部２１ｉとＰＵＭ側導体露出部２１ｊが少なくとも重ならない角度を有することが望ましい。
【００５１】
次に、光ディスク装置１にフレキシブルケーブル２１を取り付けた状態での構成について図６を用いて説明する。
【００５２】
折り曲げられたフレキシブルケーブル２１は裏面の接着部２１ｃや表面の接着部２１ｂの一部によって、筐体２の底部２ｂに接着されるが、接着部２１ｃは端部の筐体側導体露出部２１ｉ迄は達していない為、フレキシブルケーブル２１の筐体側導体露出部２１ｆ近傍は筐体２から浮かせて、コネクタ９ｂに接続される。
【００５３】
一方、フレキシブルケーブル２１のＰＵＭ側導体露出部２１ｊから接着部２１ｃのＰＵＭ側端部２１ｋ迄は筐体２には接着されていない。ＰＵＭ側腕部２１ｈは折り曲げ部２１ａから筐体側回路基板９に向かって伸びているが、折返し部２１ｍにて折り返されて、ＰＵＭ側導体露出部２１ｊがＰＵＭ側回路基板４ｃのコネクタ４ｄに接続されている。折返し部２１ｍは折り畳まれてはおらず、数ｍｍの折返し半径を有している。
【００５４】
ＰＵＭ側腕部２１ｈがトレイ３の引き出し方向に平行になるように、フレキシブルケーブル２１を筐体２に取り付けることにより、折返し部２１ｍの幅をＰＵＭ側腕部２１ｈの幅と同じにすることができ、最小にすることができる為、折返しによる反力も低減することができる。この場合、筐体側腕部２１ｆはトレイ３の引き出し方向に平行にはならず、コネクタ９ｂはこれに対応して、筐体側回路基板９の長手方向とは角度を付けて筐体側回路基板９に実装される。
【００５５】
図６はトレイ３を筐体２から最大限引き出した状態であるが、トレイ３を筐体２に収納するように移動させると、折返し部２１ｍは筐体側回路基板９側に移動する。図６中の二点鎖線は折返し部２１ｍの移動範囲を示しており、トレイ３を完全に筐体２に収納した状態では図中Ｄの位置にある。筐体側回路基板９は、トレイ３を完全に筐体２に収納した状態においても折返し部２１ｍと接触することの無いように逃がし部９ｃを設けている。また、折返し部２１ｍはトレイ３を筐体２から最大限引き出した状態においても、折返し部２０ｍが折り曲げ部２１ａに達することが無いように、フレキシブルケーブル２１の筐体
２への取り付け位置やＰＵＭ側腕部２１ｈの長さが設定されている。接着部２１ｃのＰＵＭ側端部２１ｋについても同様に、トレイ３を筐体２から最大限引き出した状態においても、折返し部２１ｍが接着部２１ｃのＰＵＭ側端部２１ｋに達することが無いように、接着部２１ｃのＰＵＭ側端部２１ｋの位置が設定されている。
【００５６】
少なくともトレイ３を筐体２に収納した状態において、折返し部２１ｍはトレイ３の裏面と筐体２の底部２ｂに挟まれるように位置するが、フレキシブルケーブル２１の曲げに対する弾性によって、この状態においても折損することなく数ｍｍの折返し半径を有している。
【００５７】
フレキシブルケーブル２１に片面のフレキシブルプリントケーブルを使用した場合、両端の導体露出部は同一面側になる。したがって本実施の形態２の場合、例えば筐体側導体露出部２１ｉが筐体２と対向する場合、ＰＵＭ側導体露出部２１ｊはトレイ３に対向する。したがって、コネクタ９ｂが筐体側回路基板９の表面（底部２ｂとは対向しない側の面）に実装されている場合はコネクタ９ｂを下接点タイプを使用する。また、コネクタ９ｂが筐体側回路基板９の裏面（底部２ｂと対向する側の面）に実装されている場合はコネクタ９ｂを上接点タイプを使用する。さらにこの場合、コネクタ４ｄがＰＵＭ側回路基板４ｃの表面（トレイ３の裏面とは対向しない側の面）に実装されている場合はコネクタ４ｄは下接点タイプを使用する。また、コネクタ４ｄがＰＵＭ側回路基板４ｃの裏面（トレイ３の裏面と対向する側の面）に実装されている場合はコネクタ４ｄは下接点タイプを使用する。逆に筐体側導体露出部２０ｉがトレイ３に対向する場合、コネクタ４ｄ、９ｂの実装方法と接点タイプの選択は、上記の逆となる。
【００５８】
本実施の形態２の場合折り曲げ回数が１回の為、実施の形態１の場合とは導体露出部の一方の向きを逆にすることができる。前述のように、製品設計の際コネクタの選定や実装位置に制約がある場合、本実施の形態２によって導体露出部の一方の向きを逆にすることにより、製品設計の際コネクタの選定や実装位置の選定を容易にできる場合がある。
【００５９】
フレキシブルケーブル２１を折り曲げて二重になっている部分は厚みが増すので、この二重になっている部分の一部若しくは全部に対向する貫通孔を、筐体２の底部２ｂに設けても良い。こうすることによって、二重になって厚みが増している部分の一部または全部をこの貫通孔に落とし込むことにより、その部分が他のフレキシブルケーブル２１の表面に対して隆起することを低減することができる。なおこの貫通孔に筐体の外側からシートやシールを貼って塞いでいても良い。こうすることによって、底部２ｂの厚み分、フレキシブルケーブル２１の二重になって厚みが増している部分をこの貫通孔に落とし込むことができ、かつこの貫通孔からゴミなどが筐体２内に入り込むことを防ぐことができる。シートやシールは絶縁性のものであっても導電性のものであっても良いが、導電性のものを使用した場合、シールドとして作用し、光ディスク装置の不要輻射がこの貫通孔から漏れることを低減することができる。また防塵性について要求されない場合は、このシートやシールは導電性のメッシュであっても良い。また、これらのシールやシートを多層に構成したものであっても良い。また、貫通孔ではなく筐体２に凹部を設けても良い。この場合凹部は、打ち出しにて形成するものであっても、厚みを薄くすることによって形成するものであっても良い。
【００６０】
なお、本実施の形態２では、筐体側導体露出部２１ｉは筐体側回路基板９に接続されているが、筐体２に取り付けた電子部品に直接接続または結線されたものであっても良い。例えば、筐体側回路基板９の回路をＰＵＭ側回路基板４ｃに併せて搭載して筐体側回路基板９を無くし、筐体２に設けられ外部と接続するコネクタに筐体側導体露出部２１ｉを結線するものであっても良い。
【産業上の利用可能性】
【００６１】
本発明は光ピックアップにより光ディスクの情報を記録再生する光ディスク装置として利用することができ、アクセス制御におけるトラバースシークの信頼性を高めた光ディスク装置を実現することができる。
【図面の簡単な説明】
【００６２】
【図１】本発明の実施の形態１における光ディスク装置の外観図
【図２】本発明の実施の形態１における光ディスク装置の筐体天部を除去した正面図
【図３】本発明の実施の形態１における光ディスク装置のフレキシブルケーブルの折り曲げ前の外観図
【図４】本発明の実施の形態１における光ディスク装置のフレキシブルケーブルの折り曲げ後の外観図
【図５】図５は本発明の実施の形態１における光ディスク装置のフレキシブルケーブルの折り曲げ後にテープを貼った状態の外観図
【図６】本発明の実施の形態２における光ディスク装置の筐体天部を除去した正面図
【図７】本発明の実施の形態２における光ディスク装置のフレキシブルケーブルの折り曲げ前の外観図
【図８】本発明の実施の形態２における光ディスク装置のフレキシブルケーブルの折り曲げ後の外観図
【図９】本発明の実施の形態２における光ディスク装置のフレキシブルケーブルの折り曲げ後にテープを貼った状態の外観図
【図１０】従来のトレイ方式の光ディスク装置の外観図
【図１１】従来のトレイ方式の光ディスク装置の正面図
【符号の説明】
【００６３】
１    光ディスク装置
２    筐体
２ａ    天部
２ｂ    底部
３    トレイ
４    光ピックアップモジュール
４ａ    スピンドルモータ
４ｂ    ディスク装着部
４ｃ    ＰＵＭ側回路基板
４ｄ    コネクタ
５    光ピックアップ
６    レール部
７    レール
８    レールガイド
９    筐体側回路基板
９ａ    コネクタ
９ｂ    コネクタ
９ｃ    逃がし部
１０    フレキシブルプリントケーブル
１０ａ    折り返し部
２０    フレキシブルケーブル
２０ａ    折り曲げ部
２０ｂ    接着部
２０ｃ    接着部
２０ｄ    表面
２０ｅ    裏面
２０ｆ    筐体側腕部
２０ｇ    横断部
２０ｈ    ＰＵＭ側腕部
２０ｉ    筐体側導体露出部
２０ｊ    ＰＵＭ側導体露出部
２０ｋ    ＰＵＭ側端部
２０ｌ    辺部
２０ｍ    折返し部
２０ｎ    テープ
２０ｐ    両面テープ
２１    フレキシブルケーブル
２１ａ    折り曲げ部
２１ｂ    接着部
２１ｃ    接着部
２１ｆ    筐体側腕部
２１ｈ    ＰＵＭ側腕部
２１ｉ    筐体側導体露出部
２１ｊ    ＰＵＭ側導体露出部
２１ｋ    ＰＵＭ側端部
２１ｍ    折返し部
２１ｎ    テープ
２１ｐ    両面テープ
【図１】
2005216333.tif 000003
【図２】
2005216333.tif 000004
【図３】
2005216333.tif 000005
【図４】
2005216333.tif 000006
【図５】
2005216333.tif 000007
【図６】
2005216333.tif 000008
【図７】
2005216333.tif 000009
【図８】
2005216333.tif 000010
【図９】
2005216333.tif 000011
【図１０】
2005216333.tif 000012
【図１１】
2005216333.tif 000013